(57)【要約】【課題】スクリーンおよびそれを用いた投射型ディスプレイにおいて、環境変動や経時変化があっても、スクリーンを構成する相対的に低剛性のシート部材に鉛直および水平方向に安定して張力を与えることができるようにする。【解決手段】透過型スクリーン２０が、相対的に低剛性のレンチキュラーレンズシート１と、相対的に高剛性のフレネルレンズシート２を重ね合わせて構成され、レンチキュラーレンズシート１の一方の表面の上端側に固定された上部固定板３と、レンチキュラーレンズシート１の一方の表面の左右両端側に、それぞれ固定された側端部当て板５Ａ、５Ｂと、上部固定板３とフレネルレンズシート２との間に連結され、フレネルレンズシート２の自重による荷重を、鉛直方向荷重と左右方向のスクリーン外側に作用する水平方向荷重とに分けて側端部当て板５Ａ、５Ｂに伝達する分力伝達機構とを備える。【選択図】図３
2007206142.tif 000002
【特許請求の範囲】
【請求項１】
相対的に低剛性の第１のシート部材と、相対的に高剛性の第２のシート部材とを有し、前記第１のシート部材に張力を与えた状態で、該第１のシート部材の一方の表面を前記第２のシート部材に重ね合わせたスクリーンであって、
前記第１のシート部材の一方の表面の上端側に固定された上端部支持部材と、
前記第１のシート部材の一方の表面の左右両端側に、それぞれ固定された側端部支持部材と、
前記上端部支持部材と前記第２のシート部材との間に連結され、該第２のシート部材の自重による荷重を、鉛直方向荷重と左右方向のスクリーン外側に作用する水平方向荷重とに分けて前記各側端部支持部材に伝達する分力伝達機構とを備えることを特徴とするスクリーン。
【請求項２】
前記分力伝達機構が、
前記上端部支持部材と前記第２のシート部材と間に張り渡された可撓性を有する索部材と、
前記側端部支持部材上に設置され、前記索部材を、前記上端部支持部材と前記第２のシート部材との間で、前記左右方向のスクリーン内側に屈曲して張架する屈曲張架部材とを備えることを特徴とする請求項１に記載のスクリーン。
【請求項３】
請求項１または２に記載のスクリーンを備えることを特徴とする投射型ディスプレイ。
【発明の詳細な説明】
【技術分野】
【０００１】
本発明は、スクリーンおよびそれを用いた投射型ディスプレイに関する。例えば、少なくとも２つのシート部材を含み、その一方に張力を与えた状態で他方に重ね合わせてなるスクリーンおよびそれを用いた投射型ディスプレイに関する。
【背景技術】
【０００２】
従来、例えば、投射型ディスプレイの一種であるリアプロジェクションテレビでは、プロジェクタから拡大投射された光を略平行光に集光するフレネルレンズシートと、フレネルレンズシートを透過した略平行光を垂直方向および水平方向に適宜角度拡散させて視野角を有する状態で観察者側に透過させるレンチキュラーレンズシートを重ね合わせた透過型スクリーンが用いられている。
このような複数のシート部材からなるスクリーンでは、スクリーンの大型化、高精細化の要求が高まる結果、各シート部材が薄層化する傾向があり、そのために、スクリーンの機械的強度が低下し、組立作業の効率も低下しがちであった。
そこで、一方のスクリーン部材に自立可能な剛性を持たせ、自立性のない他方のスクリーン部材を自立可能なスクリーン部材に重ね合わせて一体のスクリーンを形成したものが知られている。
例えば、特許文献１には、スクリーンが剛体シートとフレキシブルシートとからなり、フレキシブルシートの下端よりの部分に、剛体シートの重力を加えることにより張力を与えて、剛体シートとフレキシブルシートとを密着させたスクリーンが記載されている。
また、特許文献２には、フレネルレンズシートと、剛性が不十分なレンチキュラーレンズシートとからなる画像投影用スクリーンにおいて、レンチキュラーシートの側縁部とスクリーン保持枠との間を熱収縮性の合成樹脂フィルムを介して接合、固定することにより、レンチキュラーレンズシートの張力を与えるようにしたものが記載されている。
【特許文献１】特開平４−２４９２３５号公報（図１−９）
【特許文献２】特開平１０−２４６９１８号公報（図１−３）
【発明の開示】
【発明が解決しようとする課題】
【０００３】
上記のような従来のスクリーンおよびそれを用いた投射型ディスプレイには、以下のような問題があった。
特許文献１に記載の技術では、剛体シートが受ける重力を用いてフレキシブルシートの張力を与えるため、鉛直方向に安定した張力を与えて剛体シートとフレキシブルシートとを密着させることができるものの、水平方向に張力を与えることができず、また張力を管理することもできないため、フレキシブルシートに内在する剛性分布などに応じて水平方向にしわが寄ってしまう場合があるという問題がある。
特許文献２に記載の技術では、熱収縮性の合成樹脂フィルムを介してスクリーン保持枠に固定することで、レンチキュラーレンズシートを鉛直方向にも水平方向にも張力を与えた状態で保持することができるものの、合成樹脂フィルムの収縮量に応じた張力が設定されるので、クリープなどの経時変化で合成樹脂フィルムに伸びが生じたり、環境条件に応じて合成樹脂フィルムの伸縮が発生したりする場合に、レンチキュラーレンズシートの張力が変動してしまうという問題がある。
【０００４】
本発明は、上記のような問題に鑑みてなされたものであり、環境変動や経時変化があっても、スクリーンを構成する相対的に低剛性のシート部材に鉛直および水平方向に安定して張力を与えることができるスクリーンおよびそれを用いた投射型ディスプレイを提供することを目的とする。
【課題を解決するための手段】
【０００５】
上記の課題を解決するために、請求項１に記載の発明では、相対的に低剛性の第１のシート部材と、相対的に高剛性の第２のシート部材とを有し、前記第１のシート部材に張力を与えた状態で、該第１のシート部材の一方の表面を前記第２のシート部材に重ね合わせたスクリーンであって、前記第１のシート部材の一方の表面の上端側に固定された上端部支持部材と、前記第１のシート部材の一方の表面の左右両端側に、それぞれ固定された側端部支持部材と、前記上端部支持部材と前記第２のシート部材との間に連結され、該第２のシート部材の自重による荷重を、鉛直方向荷重と左右方向のスクリーン外側に作用する水平方向荷重とに分けて前記各側端部支持部材に伝達する分力伝達機構とを備える構成とする。
この発明によれば、分力伝達機構により、第２のシート部材の自重による荷重を鉛直方向荷重と左右方向のスクリーン外側に作用する水平方向荷重とに分けて側端部支持部材に伝達するので、第１のシート部材が側端部支持部材を介して鉛直下方向および左右方向のスクリーン外側の水平方向に荷重を受ける結果、第１のシート部材の鉛直方向および水平方向にそれぞれ張力が発生する。
【０００６】
請求項２に記載の発明では、請求項１に記載のスクリーンにおいて、前記分力伝達機構が、前記上端部支持部材と前記第２のシート部材と間に張り渡された可撓性を有する索部材と、前記側端部支持部材上に設置され、前記索部材を、前記上端部支持部材と前記第２のシート部材との間で、前記左右方向のスクリーン内側に屈曲して張架する屈曲張架部材とを備える構成とする。
この発明によれば、屈曲張架部材により左右方向のスクリーン内側に屈曲された状態で、上端支持部材と第２のシート部材との間で索部材が張架される。そのため、第２のシート部材の荷重に応じて発生する索部材の張力が、屈曲張架部材を介して側端部支持部材に鉛直方向荷重と水平方向荷重とに分かれて伝達される。そして、必要に応じて、屈曲張架部材による張架位置を変えることで、索部材の屈曲角度を変え、側端部支持部材に作用する鉛直方向、垂直方向のそれぞれの分力のバランスを可変することができる。
【０００７】
請求項３に記載の発明では、投射型ディスプレイにおいて、請求項１または２に記載のスクリーンを備える構成とする。
この発明によれば、請求項１または２に記載のスクリーンを備えるので、請求項１または２に記載の発明と同様の作用効果を備える。
【発明の効果】
【０００８】
本発明のスクリーンおよびそれを用いた投射型ディスプレイによれば、第２のシート部材の自重が、側端部支持部材を介して鉛直下方向および左右方向のスクリーン外側に分かれて第１のシート部材に作用することで、それぞれの方向に環境変動や経時変化があっても安定した張力を発生させることができ、第１のスクリーンを安定した平面に保つことができるという効果を奏する。
【発明を実施するための最良の形態】
【０００９】
以下では、本発明の実施の形態について添付図面を参照して説明する。すべての図面において、実施形態が異なる場合であっても、同一または相当する部材には同一の符号を付し、共通する説明は省略する。
【００１０】
本発明の実施形態に係るスクリーンおよび投射型ディスプレイについて説明する。
図１は、本発明の実施形態に係る投射型ディスプレイについて説明するための投射光学系の光軸を含む断面における模式説明図である。図２は、本発明の実施形態に係るスクリーンの概略構成について説明するための図１と同様の断面を模式的に示した断面説明図である。図３（ａ）、（ｂ）は、本発明の実施形態に係るスクリーンの詳細構成について説明するための図１のＡ視の模式説明図およびそのＢ視の側面図である。
【００１１】
本実施形態のリアプロジェクションテレビ１０（投射型ディスプレイ）は、図１に示すように、筐体１１と、前面側（図１の右側）を筐体１１の外部へ露出させるとともに背面側（図１の左側）を筐体１１の内部へ露出させた略長方形平板状をなす透過型スクリーン２０（スクリーン）と、筐体１１内に配置され、透過型スクリーン２０の背面に対して投射光を投射する光源としてのプロジェクタ１２と、同じく筐体１１内に配置され、プロジェクタ１２から投射される投射光の光路を偏向させる、例えば２枚の反射鏡１３、１４とを備えている。
プロジェクタ１２は、適宜のプロジェクタを採用することができるが、例えばＬＣＤやＬＣＯＳ（LCD on Silicon；反射型液晶パネルの一種）、ＤＭＤ（デジタルマイクロミラーデバイス）などの表示デバイスを用い、画像信号に応じて変調された投射光を透過型スクリーンのリア側から投射するＭＤ方式のプロジェクタを好適に採用することができる。
【００１２】
なお、以下では、方向を参照する便宜のため、リアプロジェクションテレビ１０の通常の配置姿勢および鑑賞者の鑑賞姿勢に基づいて、図１の上下方向をスクリーンの鉛直方向、図１の紙面垂直方向をスクリーンの水平方向と称する場合がある。
【００１３】
ここで、反射鏡１３、１４による偏向がない場合には、プロジェクタ１２の配置位置は、図１における２点鎖線の位置と光学的に等価となっている。
すなわち、後述するフレネルレンズシート３０のレンズ光軸に一致する透過型スクリーン２０の光軸Ｐ１は、透過型スクリーン２０の中心より下方に平行移動された位置にあり、プロジェクタ１２は、光軸Ｐ１上において透過型スクリーン２０の入射面から背面側（図１の左側）に所定距離だけ離して配置されている光学レイアウトと等価になっている。
【００１４】
透過型スクリーン２０は、図２に模式的に示すように、入射光の方向を整えて出射光とするフレネルレンズ部を有するフレネルレンズシート２（第２のシート部材）と、このフレネルレンズシート２からの出射光をスクリーンの水平左右方向（図２の紙面垂直方向）および鉛直方向（図２の上下方向）に拡散させるレンズ部を有する光学部材であるレンチキュラーレンズシート１（第１のシート部材）と積層してなる。
これらフレネルレンズシート２、レンチキュラーレンズシート１は、透過型スクリーン２０の背面側（図２の左側）から前面側（図２の右側）にかけて順次配置されているとともに、互いに略平行に配置されている。以下では、図示左右方向のうち、フレネルレンズシート２側方向を光源側方向、レンチキュラーレンズシート１側方向を観察側方向とそれぞれ称することにする。すなわち、本実施形態では、投射光は光源側から観察側に向けて透過する。
ここで、図２は模式図のため、フレネルレンズシート２とレンチキュラーレンズシート１とは互いに隙間なく当接されるように描かれているが、実際には、フレネルレンズシート２のレンズ部の頂部がレンチキュラーレンズシート１と一部当接しているもので、部分的にはわずかな空隙が形成されている。そして、互いの当接部は積層方向に固定されておらず、鉛直方向に沿って滑らかに移動可能な状態で、略密着している。
【００１５】
フレネルレンズシート２は、特に詳細には図示しないが、周知の適宜のフレネルレンズシートの構成を採用することができる。例えば、投射光の入射側から、シンチレーションなどを防止するために光を拡散する拡散層、自立性を有するような剛性を備えるための光透過性の基板部、透過光を集光するためのフレネルレンズ部などが、順次配置された層状構造を有するものなどを採用することができる。
なお、本明細書で自立性を有するとは、下端部を保持し平板として鉛直方向に立てたとき、自重のみで座屈しないことを意味する。
そして、図１、２のＡ視では、図３（ａ）に示すように、レンチキュラーレンズシート１より小さい面積を有し、プロジェクタ１２からの投射光を透過させる略矩形状の光透過域部２ｃと、光透過域部２ｃの下端部から左右方向にそれぞれ突出された吊り下げ部２ａ、２ｂとからなる形状を有する。
【００１６】
吊り下げ部２ａ、２ｂには、それぞれ上部固定板３から吊り下げられたワイヤー８（索部材）を固定するワイヤー固定ピン９、９が、上部固定板３のワイヤー固定ピン６、６と同方向に略同程度の高さで立設されている。
なお、吊り下げ部２ａ、２ｂには、投射光が透過しないため、拡散層、フレネルレンズ部などを形成せず、単に基板部のみの構成としてもよい。
【００１７】
ワイヤー８は、フレネルレンズシート２を吊り下げることができる引張強度を有するとともに、フレネルレンズシート２の自重による張力でワイヤーガイドピン７に対して滑らかに屈曲されるような可撓性を有する索部材を採用することができる。
ワイヤー８の材質は、特に限定されないが、本実施形態では、経時および温湿度によるフレネルレンズシート２の鉛直方向の位置変動を許容値以下に抑えるため、合成樹脂ワイヤーに比べて、経時および温湿度による伸びが小さい金属ワイヤーを採用している。
【００１８】
フレネルレンズシート２の基板部としては、適宜の厚さを有する透明樹脂、例えば、メチルメタクリレート−スチレン共重合樹脂（ＭＳ樹脂）などを好適に採用することができる。
そして、フレネルレンズ部の形状を成形するための金型に、例えば紫外線硬化樹脂を供給し、一方に拡散層を形成した基板部が紫外線硬化樹脂に密着するように配置して、基板部を通してＵＶ照明光源から紫外線を照射し、紫外線硬化樹脂を硬化させ、金型から脱型するなどの工程により、金型の形状が転写されたフレネルレンズ部が基板部上に形成されたフレネルレンズシート２を製造することができる。
【００１９】
レンチキュラーレンズシート１は、特に詳細には図示しないが、周知の適宜のレンチキュラーレンズシートの構成を採用することができる。例えば、フレネルレンズシート２側から、略半円柱状をなす複数のシリンドリカルレンズが互いに略平行に配列されたレンズ部、レンズ部を支持するレンズ基板、シリンドリカルレンズの集光位置の間をストライプ状に遮光するブラックストライプ層、透過光をシリンドリカルレンズの線状の集光方向と直交する方向に拡散する拡散層、表面コート層などが略この順に層状に配置された構成などを採用することができる。
そして、図１、２のＡ視では、レンチキュラーレンズシート１の表面を覆うことが可能な大きさの略矩形状とされる。
レンチキュラーレンズシート１のレンズ基板は、引張強度およびクリープ特性が良好で、自立性を有しないフィルム状の透明樹脂を採用することができる。例えばＰＥＴ樹脂などが好適である。
シリンドリカルレンズの配列ピッチは解像度に影響するため、十分細かいピッチとされている。
このような積層構造をとるため、レンチキュラーレンズシート１の厚さは、フレネルレンズシート２の厚さに比べて薄くなっており、可撓性、引張時の寸法安定性に優れるものの自立性を有しないシート部材となっている。すなわち、レンチキュラーレンズシート１は相対的に低剛性を有し、フレネルレンズシート２は相対的に高剛性を有しているものである。
【００２０】
レンチキュラーレンズシート１の上端には、図３（ａ）、（ｂ）に示すように、レンチキュラーレンズシート１を吊り下げるための細長い平板状の上部固定板３（上端部支持部材）が配置され、例えば接着などによってレンチキュラーレンズシート１と上端部の略全長にわたって固定されている。
上部固定板３の左右方向の両端部には、ワイヤー８を固定するためのワイヤー固定ピン６、６が、それぞれフレネルレンズシート２側に突出して設けられている。
また、上部固定板３の下端部は、筐体１１から水平方向に延ばされた筐体固定板４に対して上方から係止され、例えばビスなどの不図示の固定手段により固定されている。
【００２１】
また、レンチキュラーレンズシート１の左右の両端部には、上部固定板３の下端側近傍から、レンチキュラーレンズシート１の下端の手前にかけて延ばされた細長い平板状の側端部当て板５Ａ、５Ｂ（側端部支持部材）が配置され、略全長にわたり、例えば接着などによって、レンチキュラーレンズシート１と固定されている。
【００２２】
側端部当て板５Ａ、５Ｂの上下端部には、それぞれワイヤー８をレンチキュラーレンズシート１の左右内側方向に屈曲して係止し、ワイヤー８の張力を伝達するための、ワイヤーガイドピン７、７（屈曲張架部材）が、それぞれフレネルレンズシート２側に突出して設けられている。
すなわち、側端部当て板５Ａに設けられたワイヤーガイドピン７、７は、それぞれが略鉛直線上に位置し、それぞれの近傍のワイヤー固定ピン６、ワイヤー固定ピン９に対して図示左右方向のスクリーン内側に位置している。
そして、フレネルレンズシート２が、ワイヤー８により上部固定板３から吊り下げられた状態で、例えば、上端側のワイヤーガイドピン７とワイヤー固定ピン６との間で張られたワイヤー８は、水平方向と角度θ１をなしてスクリーン内側に傾斜し、下端側のワイヤーガイドピン７とワイヤー固定ピン９との間で張られたワイヤー８は、水平方向と角度θ２をなしてスクリーン内側に傾斜している。本実施形態では、角度θ１、θ２は、いずれも鋭角である。
また、側端部当て板５Ｂ側では、これと左右対称な位置関係に配置されている。
【００２３】
このような吊り下げ状態で、上部固定板３の下端縁と光透過域部２ｃの上端縁との間、側端部当て板５Ａの下端縁と吊り下げ部２ａの上端縁との間、および側端部当て板５Ｂの下端縁と吊り下げ部２ｂの上端縁との間には、それぞれ適宜隙間が形成され、フレネルレンズシート２、側端部当て板５Ａ、５Ｂが、例えば熱膨張などによって伸縮しても互いに干渉しないようになっている。
【００２４】
ここで、上部固定板３、側端部当て板５Ａ、５Ｂは、レンチキュラーレンズシート１に対して、しわが寄らない状態で固定される。レンチキュラーレンズシート１の自重によるたるみや経時の伸びなどが考えられる場合、予め適宜の張力を与えた状態で固定することが好ましい。
上部固定板３、側端部当て板５Ａ、５Ｂは、固定したレンチキュラーレンズシート１をそれぞれの平面に倣わせ、それらの固定部からレンチキュラーレンズシート１に略均一な張力をかけることができる程度の剛性を有する板部材とされる。そして、環境変動による伸縮の影響を低減するために、レンチキュラーレンズシート１と同程度の熱膨張率を有する材質を採用することが好ましい。
【００２５】
次に、本実施形態のリアプロジェクションテレビ１０の作用について、透過型スクリーン２０の作用を中心に説明する。
本実施形態の透過型スクリーン２０では、フレネルレンズシート２が、２本のワイヤー８により、上部固定板３から吊り下げられ、レンチキュラーレンズシート１に対して当接面内で移動可能とされる構成をとっている。そのため、フレネルレンズシート２に作用する重力は、当接部を介してレンチキュラーレンズシート１に作用することなく、吊り下げ部２ａ、２ｂに設けられたワイヤー固定ピン９、９を介して、それぞれのワイヤー８に作用する。そして、各ワイヤー８がワイヤー固定ピン６とワイヤー固定ピン９との間で、引張力を受ける結果、それぞれに一定の張力が発生する。
【００２６】
一方、各ワイヤー８は、ワイヤーガイドピン７、７によってスクリーン内側に屈曲して張架されているので、各ワイヤーガイドピン７には、ワイヤー８から鉛直方向に対して傾斜した荷重が作用し、水平方向成分の分力が作用する。例えば、図３（ａ）に示すように、側端部当て板５Ａ側のワイヤーガイドピン７には、図示左側、側端部当て板５Ｂ側のワイヤーガイドピン７には、図示右側に向かって分力が作用する。
そのため、側端部当て板５Ａ、５Ｂは、ワイヤー８により、それぞれスクリーンの左右方向のスクリーン外側に押圧されるとともに、それぞれの自重、および張力の鉛直方向分力の合力によって鉛直下方に荷重を受ける。
このように、本実施形態において、ワイヤー８と、ワイヤーガイドピン７、７とは、フレネルレンズシート２の自重による荷重を、鉛直方向荷重と左右方向のスクリーン外側に作用する水平方向荷重とに分けて側端部当て板５Ａ（５Ｂ）に伝達する分力伝達機構を構成している。
したがって、側端部当て板５Ａ、５Ｂが固定されたレンチキュラーレンズシート１にも、同様な荷重が作用する。すなわち、レンチキュラーレンズシート１には、側端部当て板５Ａ、５Ｂからそれぞれスクリーンの斜め下方外側に敷き延ばすような力が働くため、水平方向および鉛直方向に面内張力が与えられるものである。
【００２７】
このように、レンチキュラーレンズシート１には、フレネルレンズシート２の自重により、レンチキュラーレンズシート１の平面性を保持するような、安定した張力が常に形成される。そのため、例えば、レンチキュラーレンズシート１が熱膨張してたるみが生じようとしても、常に平面を張ることが可能となり、しわやゆがみの発生を防止することができる。
【００２８】
ここで、レンチキュラーレンズシート１に作用する水平方向、鉛直方向の各分力の割合は、ワイヤー８の幾何学的な屈曲形状により容易に可変することができる。すなわち、ワイヤーガイドピン７、７の位置関係を可変して、角度θ１、θ２や、相互の水平方向の位置を変えることで、レンチキュラーレンズシート１の剛性に応じて張力が最適となるような分力のバランスを適宜設定することができる。例えば、角度θ１、θ２は、９０°に近づくほど水平方向の分力は小さくなり、ワイヤーガイドピン７に作用するワイヤー８の張力の合力が水平方向に近づくほど、水平方向の分力が大きくなる。
ワイヤーガイドピン７の固定位置は、透過型スクリーン２０の個体差によって張力を最適に調整して製造できるように、あらかじめ固定位置を複数設けたり、固定位置を移動可能に設けたりしてもよい。
【００２９】
次に、本実施形態のリアプロジェクションテレビ１０の動作について、光路に沿って簡単に説明する。
プロジェクタ１２から出射された投射光は、図１に示すように、反射鏡１３、１４により偏向され、透過型スクリーン２０に対して斜め下側から投射される。そして、フレネルレンズシート２に入射し、拡散層により光拡散作用を受けるとともに、フレネルレンズ部の屈折作用を受けて、略平行光とされ、レンチキュラーレンズシート１に向けて光軸Ｐ１に略平行方向に出射される。
【００３０】
レンチキュラーレンズシート１に入射した投射光は、レンズ部によりスクリーンの左右方向に集光されて、ストライプ状とされ、ブラックストライプ層により不要な非集光成分が遮光され、集光成分が透過し、線状に結像された後、スクリーンの左右方向への発散光を形成する。また、拡散層によりスクリーンの左右方向にさらに拡散され、レンチキュラーレンズシート１０の外部に出射される。
このようにして、透過型スクリーン２０から観察側に、スクリーンの法線方向に対して、上下方向および左右方向にそれぞれ所定角度範囲に拡散する投射光が出射され、透過型スクリーン２０の前面で、所定の視野角の範囲内で投射光を鑑賞することが可能となる。
【００３１】
本実施形態の透過型スクリーン２０では、自立性を有しないレンチキュラーレンズシート１であっても、常にしわやたわみのない状態で、自らの剛性により平面度を確保しているフレネルレンズシート２と、常に略密着して積層することが可能となる。
そのため、レンチキュラーレンズシート１とフレネルレンズシート２との積層方向の距離変動により、画像がぼけたりしないので、例えば環境変動が大きい場合でも、高画質の画像を観察することができるという利点がある。
また、レンチキュラーレンズシート１に自立性を持たせるために、高剛性の基板部を設ける必要がないので、軽量かつ薄型のリアプロジェクションテレビ１０を構成することができる。
【００３２】
なお、上記の説明では、索部材の固定をワイヤー固定ピン６、９で行い、屈曲張架部材として、ワイヤーガイドピン７を採用した例で説明したが、これらの部材はピン部材に限定されるものではなく、適宜の部材、機構を採用することができる。例えば、索部材は、フック部材に引っかけたり、抜け止めされたワイヤーを孔部に挿通したりして固定してもよく、屈曲張架部材は、側端部支持部材に設けられた適宜の突起部で構成してもよい。
【００３３】
また、上記の説明では、吊り下げ部２ａ、２ｂをフレネルレンズシート２と一体の部材から構成した例で説明したが、投射光を遮ることなく索部材を固定できるものであれば、どのような形状や構成でもよい。例えば、フレネルレンズシート２の側部に、索部材の固定部材を兼ねる金具を取り付けた構成などでもよい。この場合、フレネルレンズシート２を長方形とすることができるので簡素なものとすることができる。
【００３４】
また、上記の説明では、吊り下げ部２ａ、２ｂをフレネルレンズシート２の下端部に設けた例で説明したが、側端部支持部材にフレネルレンズシート２の自重を伝達できれば、下端部以外の位置に設けてもよい。
【００３５】
また、上記の説明では、フレネルレンズシート２が相対的に高剛性を有する第２のシート部材で、レンチキュラーレンズシート１が相対的に低剛性の第１のシート部材である場合の例で説明したが、それぞれは逆の関係であってもよい。
【００３６】
また、上記の説明では、索部材が複数設けられた例で説明したが、例えば、上記実施形態で上部固定板３のワイヤー固定ピン６、６に１本のワイヤー８を掛け回すようにして、左右の側端部支持部材を１本の索部材でスクリーン外側に押圧してもよい。
【００３７】
また、上記の説明では、スクリーンが鉛直方向に立てられた場合の例で説明したが、実際のスクリーンの配置は、厳密な鉛直方向に沿わせる必要はなく、第１のシート部材を平面に張るための、第２のシート部材の自重による鉛直方向および水平方向分力の大きさが許容範囲となり、かつ第１および第２のシートの積層方向の密着状態を維持できれば、鉛直方向から傾斜した配置としてもよい。
この場合、上記の説明におけるスクリーンの配置姿勢に対応する鉛直方向、水平方向は、適宜スクリーン面に沿う２方向に読み替えるものとする。
【００３８】
また、上記の説明では、スクリーンとして透過型スクリーンの例で説明したが、反射型スクリーンにも適用できることは言うまでもない。
また、上記の説明では、スクリーンとして投射型ディスプレイに用いた場合の例で説明したが、他の投射装置とともに用いるスクリーンであってもよい。
【図面の簡単な説明】
【００３９】
【図１】本発明の実施形態に係る投射型ディスプレイについて説明するための投射光学系の光軸を含む断面における模式説明図である。
【図２】本発明の実施形態に係る投射型ディスプレイについて説明するための投射光学系の光軸を含む断面における模式説明図である。
【図３】本発明の実施形態に係るスクリーンの詳細構成について説明するための図１のＡ視の模式説明図およびそのＢ視の側面図である。
【符号の説明】
【００４０】
１  レンチキュラーレンズシート（第１のシート部材）
２  フレネルレンズシート（第２のシート部材）
２ａ、２ｂ  吊り下げ部
２ｃ  光透過域部
３  上部固定板（上端部支持部材）
５Ａ、５Ｂ  側端部当て板（側端部支持部材）
６、９  ワイヤー固定ピン
７  ワイヤーガイドピン
８  ワイヤー（索部材）
１０  リアプロジェクションテレビ（投射型ディスプレイ）
１１  筐体
２０  透過型スクリーン（スクリーン）
【図１】
2007206142.tif 000003
【図２】
2007206142.tif 000004
【図３】
2007206142.tif 000005